(57)【特許請求の範囲】
【請求項１】
室外側に配置される金属形材と該金属形材の室内側に配置される樹脂形材とを有する框を備え、
前記金属形材は、室外側見付け面を形成する金属見付け部と、
該金属見付け部と連続して設けられ、該金属見付け部から室内側に突出し見込み面を形成する金属見込み部と、を有し、
前記金属見付け部は、室外側のみに設けられ、
前記樹脂形材は、前記金属見込み部の見付け方向外側の面を覆う樹脂見込み部と、
前記樹脂見込み部の室外側の端部と連続して設けられ前記金属見付け部の室内側の面を覆う樹脂見付け部と、を有することを特徴とする障子。
【請求項２】
前記樹脂形材が、前記框の室内側見付け面を形成する第１樹脂形材と、前記第１樹脂形材に取り付けられる第２樹脂形材と、を含む請求項１に記載の障子。
【請求項３】
前記第１樹脂形材は、全周が囲まれ内側に空部が形成された第１中空部を有し、
前記第２樹脂形材は、全周が囲まれ内側に空部が形成された第２中空部を有し、
前記第１中空部と前記第２中空部とは、見込み方向に重なる位置に配置されている請求項２に記載の障子。
【請求項４】
前記樹脂形材が、前記框の長手方向に沿って設けられ、前記框の長手方向全長の長さよりも短く形成されている請求項１乃至３のいずれか一項に記載の障子。
【請求項５】
前記金属見付け部と前記樹脂形材との間には、戸車を支持する戸車取り付け材を取り付け可能である請求項１乃至４のいずれか一項に記載の障子。
【発明の詳細な説明】
【技術分野】
【０００１】
本発明は、框に金属形材と樹脂形材とを用いた障子に関する。
【背景技術】
【０００２】
従来、建具枠や障子の框にアルミニウムなどを材料とする金属形材と樹脂形材とを用いた複合サッシが知られている（例えば、特許文献１参照）。このような複合サッシは、アルミサッシと比べて防露性能が優れている。
【先行技術文献】
【特許文献】
【０００３】
【特許文献１】特開２００１−０６５２４５号公報
【発明の概要】
【発明が解決しようとする課題】
【０００４】
このような複合サッシは、室外側に金属形材が配置され室内側に樹脂形材が配置されていて、金属形材のうちの室内側に配置された見付け面材に樹脂形材が係止されている。そして、室外側の冷気によって金属形材が冷やされると、金属形材のうちの室内側に配置された見付け面材から樹脂形材へ冷気が伝わり、樹脂形材の室内側が結露する虞がある。
【０００５】
そこで本発明は、框の防露性能を向上させることができる障子を提供することを目的とする。
【課題を解決するための手段】
【０００６】
上記目的を達成するため、本発明に係る障子は、室外側に配置される金属形材と該金属形材の室内側に配置される樹脂形材とを有する框を備え、前記金属形材は、室外側見付け面を形成する金属見付け部と、該金属見付け部と連続して設けられ、該金属見付け部から室内側に突出し見込み面を形成する金属見込み部と、を有し、前記金属見付け部は、室外側のみに設けられ、前記樹脂形材は、前記金属見込み部の見付け方向外側の面を覆う樹脂見込み部と、前記樹脂見込み部の室外側の端部と連続して設けられ前記金属見付け部の室内側の面を覆う樹脂見付け部と、を有することを特徴とする。
【０００７】
本発明では、金属見付け部が見込み方向の室外側にのみ設けられていることにより、金属見付け部が見込み方向の室内側にも設けられている場合と比べて、室外の冷気が金属見付け部および樹脂形材を介して室内に伝達しにくい構造となる。このため、樹脂形材の室内側の結露を防止できる。
【０００８】
また、本発明に係る障子では、前記樹脂形材は、前記金属見込み部の見付け方向外側の面を覆う樹脂見込み部と、前記樹脂見込み部の室外側の端部と連続して設けられ前記金属見付け部の室内側の面を覆う樹脂見付け部と、を有している。
このような構成とすることにより、金属形材の室内側の面および見付け方向外側の面のそれぞれの少なくとも一部が樹脂形材に覆われることになる。これにより、金属形材の室内側の面および見付け方向外側の面が樹脂形材に覆われていない場合と比べて、室外の冷気が室内へ伝達しにくい構造となる。このため、樹脂形材の室内側の結露を防止できる。
なお、見付け方向外側とは、障子の見付け面における中央側に対する縁部側を示しており、金属見込み部の見付け方向外側の面とは、例えば、上框の場合は上側の面を示し、下框の場合は下側の面を示している。「見付け方向」とは面内方向を示している。
【０００９】
また、本発明に係る障子では、前記樹脂形材が、前記框の室内側見付け面を形成する第１樹脂形材と、前記第１樹脂形材に取り付けられる第２樹脂形材と、を含むことが好ましい。
このような構成とすることにより、第１樹脂形材と第２樹脂形材を分割して使用可能することができる。このため、第１樹脂形材を、例えば、従来の室内側に金属見付け部が設けられた框に対して、取り付け可能な構造とすることにより、同じ部材を異なる形態の框に対して使用することができる。
また、框に戸車が取り付けられる場合は、必要に応じて第１樹脂形材のみを使用することができる。
【００１０】
また、本発明に係る障子では、前記第１樹脂形材は、全周が囲まれ内側に空部が形成された第１中空部を有し、前記第２樹脂形材は、全周が囲まれ内側に空部が形成された第２中空部を有し、前記第１中空部と前記第２中空部とは、見込み方向に重なる位置に配置されていることが好ましい。
このような構成とすることにより、連続して設けられた中空部によって効率的に室内外を断熱できるため、室外の冷気が室内に伝達しにくい構造となり、樹脂形材の室内側の結露をさらに防止できる。
【００１１】
また、本発明に係る障子では、前記樹脂形材が、前記框の長手方向に沿って設けられ、前記框の長手方向全長の長さよりも短く形成されていることが好ましい。
このような構成とすることにより、框のうちの樹脂形材が設けられていない部分に戸車を取り付けることができる。
【００１２】
また、本発明に係る障子では、前記金属見付け部と前記樹脂形材との間には、戸車を支持する戸車取り付け材を取り付け可能であることが好ましい。
このような構成とすることにより、金属見付け部が室外側のみに設けられて室内側に設けられていない框に対して戸車を容易に取り付けることができる。
【発明の効果】
【００１３】
本発明によれば、框の防露性能を向上させることができる。
【図面の簡単な説明】
【００１４】
【図１】本発明の実施形態による引違サッシの一例を示す図で室内側から見た図である。
【図２】図１のＡ−Ａ線断面図である。
【図３】図１のＢ−Ｂ線断面図である。
【図４】上框を説明する断面図である。
【図５】下框を説明する断面図である。
【図６】下框と戸車部を説明する正面図である。
【図７】（ａ）は戸車部、戸車取り付け材、下框を説明する図、（ｂ）は戸車部を説明する図、（ｃ）は戸車取り付け材、下框を説明する図である。
【図８】サブロックを説明する図である。
【発明を実施するための形態】
【００１５】
以下、本発明の実施形態による障子について、図１乃至図８に基づいて説明する。
図１乃至図３に示すように、本実施形態による障子１は、引違サッシ１０１の室外側障子１ａおよび室内側障子１ｂで、建物１０２の開口部１０３に取り付けられた建具枠１０４に見付け方向にスライド可能に支持されている。
障子１は、外周部に配置される框２と、框２の内側に配置されるガラス３と、を有している。框２は、見付け方向に延在する上框２１および下框２２と、上下方向に延在する召合框２３および戸先框２４（図１および図２参照）と、を有している。
【００１６】
図４に示すように、上框２１は、室外側に配置された金属形材４と、金属形材４の室内側に配置された第１樹脂形材５および第２樹脂形材６と、を有している。第１樹脂形材５は、第２樹脂形材６の室内側に配置されている。
これらの金属形材４、第１樹脂形材５および第２樹脂形材６は、それぞれ見付け方向に延在する部材で、延在方向全体において延在方向に直交する断面形状が略同じ形状に形成されている。
【００１７】
金属形材４は、断面形状が略Ｔ字状に形成され、室外側見付け面を形成する金属見付け部４１と、金属見付け部４１の室内側の面４１ｂから室内側に突出し見込み面を形成する金属見込み部４２、とを有している。
金属見付け部４１は、ガラス３の室外側に配置され、室外側の面４１ａが室外に露出し、室内側の面４１ｂの下部側がガラス３の室外側の面３ａと対向している。なお、金属見付け部４１は、ガラス３と対向する下部側がその上部側よりもやや室外側に配置されていて、これらの下部側と上部側との連結部分は、見付け面に対して傾斜している。
また、金属見付け部４１には、上部側に室内側の面４１ｂから室外側に突出する２つの突出片４１１，４１２が上下方向に間隔をあけて設けられている。ここで、これら２つの突出片４１１，４１２のうち、上側に配置された突出片を第１突出片４１１とし、下側に配置された突出片を第２突出片４１２とする。
【００１８】
第１突出片４１１の室内側の端部には、下側に突出する第１爪部４１１ａが設けられている。また、第２突出片４１２の室内側の端部には、上側に突出する第２爪部４１２ａと、下側に突出する第３爪部４１２ｂと、が設けられている。
第１突出片４１１と第２突出片４１２との間にはパッキン４１３を設置可能で、第１爪部４１１ａおよび第２爪部４１２ａが第１突出片４１１と第２突出片４１２との間に設置されたパッキン４１３を係止するように構成されている。
【００１９】
金属見込み部４２は、下面４２ａがガラス３の上端面３ｃと対向するようにガラス３の上側に配置されている。金属見込み部４２には、上面４２ｂから上側に突出する４つの突出片４２１〜４２４が見込み方向に間隔をあけて設けられている。ここで、これら４つの突出片４２１〜４２４を室外側から室内側に向かって第３突出片４２１、第４突出片４２２、第５突出片４２３、第６突出片４２４とする。第３突出片４２１は、金属見付け部４１の室内側に金属見付け部４１と見込み方向に間隔をあけた位置に設けられていて、第６突出片４２４は、金属見込み部４２の室内側の端部に設けられている。第４突出片４２２および第５突出片４２３は、金属見込み部４２の見込み方向の中間部にそれぞれ設けられている。「見込み方向」とは、面外方向を示している。
また、金属見込み部４２には、下面４２ａの室内側の端部近傍から下側に突出する第７突出片４２５が設けられている。第７突出片４２５の下端部には、室外側に突出する爪部４２５ａが設けられている。
これらの金属見付け部４１および金属見込み部４２は、アルミニウムなどを材料として一体に成形されている。
【００２０】
第１樹脂形材５は、室内側に配置され室内側見付け面を形成する第１樹脂見付け部５１と、第１樹脂見付け部５１の室外側の面５１ａの上端部から室外側に突出し見込み面を形成する第１樹脂見込み部５２と、樹脂見付け部５１の室外側の面５１ａの上下方向の中間部から室外側に突出し見込み面を形成する第２樹脂見込み部５３と、上端部が第１樹脂見込み部５２と連結され下端部が第２樹脂見込み部５３と連結され第１樹脂見付け部５１の室外側に第１樹脂見付け部５１と間隔をあけて配置され見付け面を形成する第２樹脂見付け部５４と、を有している。
【００２１】
第１樹脂見付け部５１は、ガラス３の室内側に配置され、室内側の面５１ｂが室内に露出し、室外側の面５１ａの下部側がガラス３の室内側の面３ｂと対向している。なお、本実施形態では、第１樹脂見付け部５１のうちガラス３と対向する下部側が上側から下側に向かって漸次室内側から室外側に向かう方向にやや傾斜している。
第１樹脂見込み部５２には、室外側の端部に下側に突出する第１突出片５２１が設けられている。
第２樹脂見込み部５３には、室外側の端部に上側に突出する第２突出片５３１が設けられている。第２突出片５３１の上端部には、室内側に突出する爪部５３１ａが設けられている。
第１突出片５２１と第２突出片５３１とは上下方向に重なる位置に上下方向に間隔をあけて配置されている。
【００２２】
第２樹脂見付け部５４には、室外側の面５４ａに室外側に突出する２つの突出片５４１，５４２が上下方向に間隔をあけて設けられている。ここで、２つの突出片５４１，５４２のうち上側に配置された突出片５４１を第３突出片５４１とし、下側に配置された突出片５４２を第４突出片５４２とする。
第３突出片５４１は、第１樹脂見込み部５２の下側で第１樹脂見込み部５２と上下方向に間隔をあけた位置に配置されている。第４突出片５４２は、第２樹脂見込み部５３の上側で第２樹脂見込み部５３と上下方向に間隔をあけた位置に配置されている。
【００２３】
これらの第１樹脂見付け部５１、第１樹脂見込み部５２、第２樹脂見込み部５３および第２樹脂見付け部５４は、樹脂を材料として一体に成形されている。
また、第１樹脂形材５には、第１樹脂見付け部５１、第１樹脂見込み部５２、第２樹脂見込み部５３および第２樹脂見付け部５４に囲まれた第１中空部Ｓ１が形成されている。
そして、第１樹脂形材５の第２樹脂見付け部５４のうちの第４突出片５４２よりも下側の部分と、第４突出片５４２と、第２樹脂見込み部５３のうち第２樹脂見付け部５４よりも室外側の部分と、第２突出片５３１と、に囲まれた空部５６には、金属形材４の金属見込み部４２の室内側の端部近傍の部分、第６突出片４２４および第７突出片４２５がはめ込まれている。これにより、金属形材４の第７突出片４２５の爪部４２５ａと第１樹脂形材５の第２突出片５３１の爪部５３１ａとが係合している。
【００２４】
第２樹脂形材６は、室内側に配置され見付け面を形成する第１樹脂見付け部６１と、第１樹脂見付け部６１の室外側の面６１ａの上端部近傍から室外側に突出し見込み面を形成する第１樹脂見込み部６２と、第１樹脂見付け部６１の室外側の面６１ａの下端部から室外側に突出し見込み面を形成する第２樹脂見込み部６３と、第１樹脂見込み部６２および第２樹脂見込み部６３の室外側の端部同士と連結され見付け面を形成する第２樹脂見付け部６４と、第２樹脂見込み部６３の下面６３ａから下側に突出し見付け面を形成する第３樹脂見付け部６５と、第２樹脂見付け部６４の下端部から室外側に突出し見込み面を形成する第３樹脂見込み部６６と、第３樹脂見付け部６５の下端部から室外側に突出し見込み面を形成する第４樹脂見込み部６７と、第３樹脂見込み部６６の室外側の端部近傍から上方に突出し見付け面を形成する第４樹脂見付け部６８と、第４樹脂見付け部６８の上端部から室外側に突出し見込み面を形成する第５樹脂見込み部６９と、を有している。
【００２５】
第１樹脂見付け部６１は、室内側の面６１ｂに室内側に突出する２つの突出片６１１，６１２が上下方向に間隔をあけて設けられている。ここで、２つの突出片６１１，６１２のうち上側に配置された突出片６１１を第１突出片６１１とし、下側に配置された突出片６１２を第２突出片６１２とする。
第１突出片６１１は、第１樹脂見付け部６１の上端部に設けられている。第２突出片６１２は、第１樹脂見付け部６１の上下方向の中間部に設けられている。
【００２６】
第２樹脂見付け部６４は、上端部が第１樹脂見込み部６２の室外側の端部と連結され、下端部よりもやや上側において第２樹脂見込み部６３の室外側の端部と連結されている。
第３樹脂見付け部６５は、第２樹脂見込み部６３の下面６３ａの見込み方向の中間部から下側に突出している。
【００２７】
第３樹脂見込み部６６には、室外側の端部に下側に突出する第３突出片６６１が設けられている。
また、第３樹脂見込み部６６は、第４樹脂見込み部６７のやや上側に配置されている。そして、第３樹脂見込み部６６の下面６６ａと、第４樹脂見込み部６７の上面６７ａとが当接している。そして、第３突出片６６１の下端部６６１ａは、第４樹脂見込み部６７の下面６７ｂと略同じ高さに配置されている。
また、第３樹脂見込み部６６の室外側の端部は、第４樹脂見込み部６７の室外側の端部６７ｃよりも室外側に配置されている。このため、第４樹脂見込み部６７の室外側の端部６７ｃと第３樹脂見込み部６６の下面６６ａとが段部６６ｂを形成している。
第５樹脂見込み部６９には、室外側の端部に上側に突出する第４突出片６９１が設けられている。
【００２８】
これらの第１樹脂見付け部６１、第１樹脂見込み部６２、第２樹脂見込み部６３、第２樹脂見付け部６４、第３樹脂見付け部６５、第３樹脂見込み部６６、第４樹脂見込み部６７、第４樹脂見付け部６８および第５樹脂見込み部６９は、樹脂を材料として一体に成形されている。
また、第２樹脂形材６には、第１樹脂見付け部６１、第１樹脂見込み部６２、第２樹脂見込み部６３および第２樹脂見付け部６４に囲まれた第２中空部Ｓ２と、第２樹脂見込み部６３、第２樹脂見付け部６４、第３樹脂見付け部６５および第４樹脂見込み部６７に囲まれた第３中空部Ｓ３と、が形成されている。
【００２９】
そして、第２樹脂形材６の第４樹脂見込み部６７が、金属形材４の金属見込み部４２の上側に配置され、第４突出片４２２と第５突出片４２３との間にはめ込まれている。また、第２樹脂形材６の第３突出片６６１と第４樹脂見込み部６７との間には、金属形材４の第３突出片４２１および第４突出片４２２がはめ込まれている。また、第２樹脂形材６の第４突出片６９１が、金属形材４の金属見付け部４１、第２突出片４１２および第３爪部４１２ｂに囲まれた空部４１４にはめ込まれている。これより、金属形材４と第２樹脂形材６とが係合している。
また、第２樹脂形材６の第１突出片６１１が、第１樹脂形材５の第１樹脂見込み部５２、第２樹脂見付け部５４、第１突出片５２１および第３突出片５４１に囲まれた空部５７にはめ込まれている。これにより、第１樹脂形材５と第２樹脂形材６とが係合している。
【００３０】
図５に示すように、下框２２は、室外側に配置された金属形材８と、金属形材８と係合され金属形材８の室内側に配置された第１樹脂形材９および第２樹脂形材１１と、を有している。第１樹脂形材９は、第２樹脂形材１１の室内側に配置されている。
なお、金属形材８、第１樹脂形材９および第２樹脂形材１１は、それぞれ見付け方向に延在する部材で、延在方向全体において延在方向に直交する断面形状が略同じ形状に形成されている。
【００３１】
金属形材８は、断面形状が略Ｔ字状に形成され、室内側見付け面を形成する金属見付け部８１と、金属見付け部８１の室内側の面８１ｂから室内側に突出し見込み面を形成する金属見込み部８２、とを有している。
金属見付け部８１は、ガラス３の室外側に配置され、室外側の面８１ａが室外に露出し、室内側の面８１ｂの上部側がガラス３の室外側の面３ａと対向している。また、金属見付け部８１には、下部側に室内側の面８１ｂから室内側に突出する２つの突出片８１１，８１２が上下方向に間隔をあけて設けられている。ここで、これら２つの突出片８１１，８１２のうち、下側に配置された突出片を第１突出片８１１とし、上側に配置された突出片を第２突出片８１２とする。
【００３２】
第１突出片８１１の室内側の端部には、上側に突出する第１爪部８１１ａが設けられている。また、第２突出片８１２の室内側の端部近傍には、下側に突出する第２爪部８１２ａと、上側に突出する第３爪部８１２ｂと、が設けられている。
第１突出片８１１と第２突出片８１２との間にはパッキン８１３を設置可能で、第１爪部８１１ａおよび第２爪部８１２ａが第１突出片８１１と第２突出片８１２との間に設置されたパッキン８１３を係止するように構成されている。
【００３３】
金属見込み部８２は、上面８２ａがガラス３の下端面３ｄと対向するようにガラス３の下側に配置されている。金属見込み部８２には、下面８２ｂから下側に突出する３つの突出片８２１〜８２３が見込み方向に間隔をあけて設けられている。ここで、これら３つの突出片８２１〜８２３を室外側から室内側に向かって第３突出片８２１、第４突出片８２２、第５突出片８２３とする。
第３突出片８２１は、金属見付け部８１の室内側に金属見付け部８１と見込み方向に間隔をあけた位置に設けられていて、第５突出片８２３は、金属見込み部８２の室内側の端部に設けられている。第４突出片８２２は、金属見込み部８２の室内側の端部近傍に第５突出片８２３と見込み方向に間隔をあけて設けられている。
【００３４】
第５突出片８２３の下端部には、室内側に突出し、室内側に突出した部分の室内側の端部からさらに下側に突出する爪部８２３ａが設けられている。
また、金属見込み部８２には、上面８２ａの室内側の端部近傍から上側に突出する第６突出片８２５が設けられている。第６突出片８２５の上端部には、室外側に突出する爪部８２５ａが設けられている。
これらの金属見付け部８１および金属見込み部８２は、アルミニウムなどを材料として一体に成形されている。
【００３５】
下框２２の第１樹脂形材９は、上框２１の第１樹脂形材５（図４参照）が上下方向に反転した形状に形成されている。また、下框２２の第２樹脂形材１１は、上框２１の第２樹脂形材６（図４参照）が上下方向に反転した形状に形成されている。このため、下框２２の第１樹脂形材９および第２樹脂形材１１を構成する部材は、対応する上框２１の第１樹脂形材５および第２樹脂形材６を構成する部材と同じ名称として説明する。
【００３６】
下框２２の第１樹脂形材９の第２樹脂見付け部９４のうちの第４突出片９４２よりも上側の部分と、第４突出片９４２と、第２樹脂見込み部９３のうち第２樹脂見付け部９４よりも室外側の部分と、第２突出片９３１とに囲まれた空部９６には、金属形材８の第６突出片８２５がはめ込まれている。これにより、金属形材８の第６突出片８２５の爪部８２５ａと第１樹脂形材９の第２突出片９３１の爪部８３１ａとが係合している。
【００３７】
また、下框２２の第２樹脂形材１１の第４突出片１１９１が、金属形材８の金属見付け部８１、第２突出片８１２および第２突出片８１２の室内側の端部に設けられた第３爪部８１２ｂに囲まれた空部８１４にはめ込まれている。また、第２樹脂形材１１の第３樹脂見込み部１１６に設けられた第３突出片１１６１が、金属形材８の第３突出片８２１と当接している。これより、金属形材８と第２樹脂形材１１とが係合している。
なお、下框２２の第１樹脂形材９と第２樹脂形材１１とは、上框２１の第１樹脂形材９および第２樹脂形材１１が上下反転した状態と同様に係合している。
【００３８】
また、図６および図７に示すように、下框２２には、見付け方向の両端部近傍それぞれに戸車部１２と戸車部１２を下框２２に取り付けるための戸車取り付け材１３と、が設けられている。
戸車部１２は、建具枠１０４（図１参照）の下枠に沿って走行可能な車輪部１２１と、車輪部１２１を回転可能に支持する戸車支持部１２２と、を有している。戸車支持部１２２には、車輪部１２１の高さを調整可能な調整ネジ１２３などが設けられている。
【００３９】
戸車取り付け材１３は、戸車支持部１２２の室外側に設けられる室外側板部１３１と、戸車支持部１２２の室内側に設けられる室内側板部１３２と、室外側板部１３１の下部側と室内側板部１３２の下部側とを連結する２つの下側板部１３３，１３３と、を有している。
２つの下側板部１３３，１３３は、それぞれ見込み面を形成する板部で、見付け方向に間隔をあけて配置されている。そして、２つの下側板部１３３，１３３の間に車輪部１２１が配置されている。
【００４０】
室外側板部１３１は、見付け面を形成する第１見付け部１３１１と、第１見付け部１３１１の上端部と連続し上方に向かって漸次室外側に向かって傾斜する傾斜部１３１２と、傾斜部１３１２の上端部に連結され見付け面を形成する第２見付け部１３１３と、第１見付け部１３１１の下端部から室外側に突出し見込み面を形成する第１見込み部１３１４と、第１見込み部１３１４の室外側の端部から下側に突出する第３見付け部１３１５と、第１見付け部１３１１の下端部から下側に突出する第４見付け部１３１６と、第４見付け部１３１６の下端部から室内側に突出する第２見込み部１３１７と、を有している。
【００４１】
第１見付け部１３１１、傾斜部１３１２および第２見付け部１３１３は、見付け方向に延在している。また、第１見込み部１３１４および第３見付け部１３１５と、第４見付け部１３１６および第２見込み部１３１７とは、見付け方向に重ならない位置に形成されている。なお、第１見込み部１３１４、第３見付け部１３１５、第４見付け部１３１６および第２見込み部１３１７は、１つの室外側板部１３１に対して複数設けられていてもよい。
また、２つの下側板部１３３，１３３は、第１見付け部１３１１の下端部に連結されていて、第１見込み部１３１４および第４見付け部１３１６は、第１見付け部１３１１の下端部のうち下側板部１３３，１３３が連結されていない部分に設けられている。
【００４２】
室内側板部１３２は、見付け面を形成する第１見付け部１３２１と、第１見付け部１３２１の上端部と連続し上方に向かって漸次室内側に向かって傾斜する第１傾斜部１３２２と、第１傾斜部１３２２の上端部に連続し上方に向かって漸次室外側に向かって傾斜する第２傾斜部１３２３と、第１見付け部１３２１の下端部から室外側に突出し見込み面を形成する第１見込み部１３２４と、第１見込み部１３２４の室内側の端部から下側に突出する第２見付け部１３２５と、第１見付け部１３２１の下端部から下側に突出する第３見付け部１３２６と、第３見付け部１３２６の下端部から室外側に突出する第２見込み部１３２７と、を有している。
【００４３】
第１見付け部１３２１、第１傾斜部１３２２および第２傾斜部１３２３は、見付け方向に延在している。また、第１見込み部１３２４および第２見付け部１３２５と、第３見付け部１３２６および第２見込み部１３２７とは、見付け方向に重ならない位置に形成されている。なお、第１見込み部１３２４、第２見付け部１３２５、第３見付け部１３２６および第２見込み部１３２７は、１つの室内側板部１３２に対して複数設けられていてもよい。
また、第１見込み部１３２４および第３見付け部１３２６は、第１見付け部１３２１の下端部のうち下側板部１３３，１３３が連結されていない部分に設けられている。
なお、室外側板部１３１の第４見付け部１３１６および第２見込み部１３１７と、第３見付け部１３２６および第２見込み部１３２７とは、見込み方向に重なる位置に配置されていることが好ましい。
【００４４】
このような戸車取り付け材１３は、室外側板部１３１の第１見付け部１３１１と室内側板部１３２の第１見付け部１３２１との間に戸車部１２が挿入される。そして、室外側板部１３１の第２見込み部１３１７と室内側板部１３２の第２見込み部１３２７とが戸車支持部１２２の下方に戸車支持部１２２と当接するように配置され、戸車支持部１２２を支持するように構成されている。
そして、下框２２の戸車取り付け材１３が設けられる部分には、第２樹脂形材１１が設けられておらず、金属形材８の第３突出片８２１の室外側に戸車取り付け材１３の室外側板部１３１の第２見付け部１３１３が配置されている。
【００４５】
このとき、室外側板部１３１の第３見付け部１３１５が、下框２２の金属形材８の金属見付け部８１、第２突出片８１２および第２突出片８１２の室内側の端部に設けられた第３爪部８１２ｂに囲まれた空部８１４に上方から挿入されている。また、室内側板部１３２の第１傾斜部１３２２および第２傾斜部１３２３が、金属見込み部８２の第４突出片８２２と第５突出片８２３との間の空部８２４にはめ込まれている。また、室内側板部１３２の第２見付け部１３２５が、第１樹脂形材９の第１見込み部９２と第２見付け部９４と、第１突出片９２１と第３突出片９４１とに囲まれた空部９７に上方から挿入されている。これにより戸車取り付け材１３が金属形材８および第１樹脂形材９に取り付けられている。
【００４６】
また、図８に示すように、下框２２にサブロック１４が設けられている場合は、戸車取り付け材１３と見込み方向に重なる位置において第１樹脂形材９の第１樹脂見付け部９１および第２樹脂見付け部９４に見込み方向に貫通する開口部９１ｃ，９４ｄがそれぞれ形成され、これらの開口部９１ｃ，９４ｄにサブロック１４が挿入されている。
【００４７】
次に、上述した障子の作用・効果について図面を用いて説明する。
上述した本実施形態による障子１では、上框２１および下框２２の金属形材４，８の金属見付け部４１，８１は、見込み方向において室外側にのみ設けられていることにより、室外の冷気が金属見付け部４１，８１を介して第１樹脂形材５，９の室外側に伝達しにくい構造となるため、第１樹脂形材５，９の室内側の結露を防止できる。これにより框２の防露性能を向上させることができる。
【００４８】
また、第２樹脂形材６，１１が、金属形材４，８の金属見付け部４１，８１の室内側の面の一部と、金属見込み部４２，８２の見付け方向外側の面と、を覆う部分を有することにより、室外の冷気が室内へより伝達しにくい構造となる。このため、第１樹脂形材５，９の室内側の結露をより防止できる。
【００４９】
また、第１樹脂形材５，９は、内側に空部が形成された第１中空部Ｓ１，Ｓ４を有し、第２樹脂形材６，１１は、内側に空部が形成された第２中空部Ｓ２，Ｓ５および第３中空部Ｓ３，Ｓ６を有することにより、これらの中空部Ｓ１〜Ｓ６によって室内外を効率よく断熱することができ、第１樹脂形材５，９の室内側の結露を防止できる。
更に、第１樹脂形材５，９の中空部Ｓ１，Ｓ４と、第２樹脂形材６，１１の中空部Ｓ２，Ｓ３，Ｓ５，Ｓ６とが、見込み方向に重なって連続していることにより、これらの中空部Ｓ１〜Ｓ６によって室内外をより効率よく断熱することができ、第１樹脂形材５，９の室内側の結露を防止できる。
【００５０】
また、戸車部１２を支持する戸車取り付け材１３を下框２２に取り付ける構造であるため、下框２２が室内側に金属見付け部がない構造であっても下框２２に対して戸車部１２を容易に取り付けることができる。
また、樹脂形材は、第１樹脂形材５，９と第２樹脂形材６，１１とを係合させた構成で第１樹脂形材５，９と第２樹脂形材６，１１とを分割して使用可能であるため、従来のように室内側に金属見付け部が設けられた框に対して、第１樹脂形材５，９のみを使用できる。また、下框２２に戸車が取り付けられる場合は、必要に応じて第１樹脂形材９のみを使用することができる。
【００５１】
以上、本発明による障子の実施形態について説明したが、本発明は上記の実施形態に限定されるものではなく、その趣旨を逸脱しない範囲で適宜変更可能である。
例えば、上記の実施形態では、障子１は引違サッシ１０１の室外側障子１ａおよび室内側障子１ｂとしているが、ドアや滑り出し窓などの障子としてもよい。
また、上記の実施形態では、樹脂形材を第１樹脂形材５，９と第２樹脂形材６，１１との２部材で構成しているが、第１樹脂形材５，９と第２樹脂形材６，１１とを一体化した位置部材で構成してもよい。
また、框２の金属形材４，８、第１樹脂形材５，９および第２樹脂形材６，１１の形状は上記以外の形状であってもよい。
また、上記の実施形態では、上框２１および下框２２が、金属形材４の金属見付け部４１が室外側のみに設けられている構成であるが、このような構成を召合せ框２３や戸先框２４に採用してもよい。
【００５２】
なお、召合せ框は、室外側障子の召合せ框２３と室内側障子の召合せ框２３とが見込み方向に配置されており、またブリッジ材が設けられていることもあり、上框２１や下框２２と比べて結露が生じにくいことがある。また、戸先框２４は、室内側に建具枠１０４が配置され、ほとんど露出しないため、上框２１や下框２２と比べて室内側に結露が生じにくいことがある。このため、上框２１と下框２２のみ金属形材４，８の金属見付け部４１，８１を室外側のみに設ける構成とすることで、召合せ框２３や戸先框２４は従来の構造で製造してもよく、このような場合も框２の防露性能を向上させることができる。
また、上記の実施形態において、戸車部１２が設けられる部分のみ、金属見付け部が室内側にも設けられて、室外側の金属見付け部８１と室内側の金属見付け部との間に戸車部１２が設けられていてもよい。
【００５３】
また、上記の実施形態では、第１樹脂形材５，９および第２樹脂形材６，１１には中空部Ｓ１〜Ｓ６が形成されているが、中空部Ｓ１〜Ｓ６が形成されていなくてもよい。また、第１樹脂形材５，９および第２樹脂形材６，１１のいずれかに中空部が形成されていてもよい。また、第１樹脂形材５，９の中空部Ｓ１，Ｓ４と、第２樹脂形材６，１１の中空部Ｓ２，Ｓ３，Ｓ５，Ｓ６とは見込み方向に連続していなくてもよい。
【００５４】
また、上記の実施形態では、戸車取り付け材１３を用いて戸車部１２を下框２２に取付けているが、戸車取り付け材１３を使用せずに戸車部１２を下框２２に取付けてもよい。また、戸車取り付け材１３が下框２２に係止される形態は上記以外のものであってもよい。
【符号の説明】
【００５５】
１  障子
２  框
３  ガラス
４  金属形材
５  第１樹脂形材（樹脂形材）
６  第２樹脂形材（樹脂形材）
８  金属形材
９  第１樹脂形材（樹脂形材）
１１  第２樹脂形材（樹脂形材）
１２  戸車部
１３  戸車取り付け材
２１  上框
２２  下框
４１，８１  金属見付け部
４２，８２  金属見込み部
６６，１１６  第３樹脂見込み部（樹脂見込み部）
６８  第４樹脂見付け部（樹脂見付け部）
Ｓ１，Ｓ４  第１中空部
Ｓ２，Ｓ５  第２中空部
Ｓ３，Ｓ６  第３中空部
【図１】
0006416615.tif 000002
【図２】
0006416615.tif 000003
【図３】
0006416615.tif 000004
【図４】
0006416615.tif 000005
【図５】
0006416615.tif 000006
【図６】
0006416615.tif 000007
【図７】
0006416615.tif 000008
【図８】
0006416615.tif 000009